(57)【要約】【課題】  本発明は、調理場や家庭で発生する生ごみを効率よく回収する装置を提供するものである。【解決手段】  生ごみを水を流しながら回転刃で粉砕する粉砕装置（１０）、前記粉砕された生ごみと排水が一緒に流れ込む生ごみ袋（７０）、生ごみ袋（７０）の中に粉砕後の生ごみと排水を導く上部接続オス管（２１）及び上部接続メス管（２３）、生ごみ袋（７０）から水のみを脱水し脱水した水を排水溜（４２）に導く下部接続メス管（３１）及び下部接続オス管（３４）、排水を一時的に溜める排水溜（４２）を有する排水溜槽（４０）並びに排水溜槽（４０）を上下方向に動かす手動昇降装置（５０）を備えて、生ごみを嵩張りの少ない袋詰め状態のまま効率的に取り出す生ごみ回収装置である。【選択図】    図１
2005060003.tif 000002
【特許請求の範囲】
【請求項１】
生ごみを嵩張りの少ない袋詰め状態のまま効率的に取り出す生ごみ回収装置であって、生ごみを水を流しながら回転刃で粉砕する粉砕装置（１０）、粉砕された生ごみと排水が一緒に流れ込む生ごみ袋（７０）、前記生ごみ袋（７０）の中に粉砕後の生ごみと排水を導く上部接続オス管（２１）及び上部接続メス管（２３）、前記生ごみ袋（７０）から水を脱水し脱水した水を排水溜（４２）に導く下部接続メス管（３１）及び下部接続オス管（３４）、排水を一時的に溜める排水溜（４２）を有する排水溜槽（４０）並びに前記排水溜槽（４０）を上下方向に動かす手動昇降装置（５０）を備えた生ごみの回収装置。
【請求項２】
前記生ごみ袋（７０）から水を脱水するために、圧縮脱水機構（６０）を備えたことを特徴とする請求項１に記載の生ごみの回収装置。
【請求項３】
前記圧縮脱水機構（６０）は、ペダル（８０）がレバー（８１）を介して索（６３、６４、６５）に連結し、前記索（６３、６４、６５）が前記生ごみ袋（７０）に被せた網（６８）に接続したものからなり、前記ペダル（８０）を踏むことにより前記索（６３、６４、６５）が引っ張っられもって前記網（６８）を収縮させることにより前記生ごみ袋（７０）内の粉砕生ごみを圧縮脱水する機構であることを特徴とする請求項２に記載の生ごみの回収装置。
【請求項４】
前記生ごみ袋（７０）は、水を通すフィルター素材（７１）でできた内袋と、水と空気を通さない素材（７２）でできた外袋とが袋入口（７３）の周囲部分で接合された二重袋であって、内袋と外袋に共通の袋入口（７３）が設けられ、外袋には独自の袋出口（７４）を設けられ、前記袋入口（７３）に裾の広がったラッパ状の入口（７５）が設けられ、前記袋出口（７５）に裾の広がったラッパ状の出口（７６）が設けられたことを特徴とする請求項１から請求項３のいずれかに記載の生ごみの回収装置。
【請求項５】
前記上部接続メス管（２３）は上部接続メス管支持板（２４）に固定され、前記下部接続メス管（３１）は下部接続メス管支持板（３２）に固定され、前記上部接続メス管支持板（２４）は上部接続メス管支持台（２６）に、前記下部接続メス管支持板（３２）は下部接続メス管支持台（３６）に各々固定され、前記上部接続メス管支持台（２６）と前記下部接続メス管支持台（３６）とは、縦軸（２００）を中心に、左右方向又は上下方向へ連動して移動可能であることを特徴とする請求項１から請求項４のいずれかに記載の生ごみの回収装置。
【請求項６】
前記下部接続メス管支持台（３６）は、前記手動昇降装置（５０）により前記排水溜槽（４０）を上方向に持ち上げることにより、前記上部接続メス管支持台（２６）と連動して上下移動可能であることを特徴とする請求項１から請求項５のいずれかに記載の生ごみの回収装置。
【発明の詳細な説明】
【技術分野】
【０００１】
この発明は、調理場や家庭で発生する生ごみの回収装置に関するものである。更に詳しくは、調理場や家庭で発生する生ごみを、粉砕機で粉砕した後、生ごみを含む排水を装置内の生ごみ袋に流し込み、電力モーター等の力を借りずに、重力又は人間の力で脱水し、脱水後の生ごみを袋詰め状態のまま取り出す、生ごみの回収装置に関するものである。調理場や家庭で発生する生ごみを安価で簡単に、しかも、清潔に処理することができ、且つ、生ごみ再利用のための回収作業を容易にすることを目的にしている。
【背景技術】
【０００２】
調理場や家庭等で発生する生ごみは、一般的には、可燃ごみと一緒にポリ袋などに入れて一時保管した後、地域ごとに指定された日に、指定された場所に一括集積され、公的機関のごみ回収車で回収された後、施設で焼却されて、焼却残渣を埋め立て地に回されて埋め立て処理されている。最近では一部地域で、家庭用の生ごみ粉砕機を使って砕いた後、排水と一緒に地下濾過槽などで一括処理するか、あるいは、不用意に下水道等へ流している所もある。
【０００３】
こうした従来の生ごみの処理方法に於いて、ダイオキシンが発生し易いという問題、最終処分のための場所が不足するという問題やごみ処理コストが依然として高いという問題等が指摘されている。同時に、環境保護や石油枯渇と言う観点から、温暖化ガス排出量削減や化石燃料消費量節減等も叫ばれて、生ごみを資源として再利用する事が提唱されている。この様な状況下で、生ごみ等の有機性廃棄物からメタンを発酵させて、発電燃料等に利用する技術が注目されている。しかし、残念ながら、当該技術の地域自治体への利用は余り進んでいない。また、生ごみを粉砕したまま下水道に流すやり方は、下水道が詰まる問題や下水道の処理負荷を増加させる問題が発生して好ましくない。更に、新集合住宅等での地下濾過槽による処理方法は、住宅販売状況如何による影響や広域普及化の面で不確定要素が多く、総合的な社会問題への対応策として見た場合、短期間での成果が期待できにくいものとなっている。
【０００４】
生ごみを粉砕処理する装置としては、粉砕した生ごみを直接下水に流すことを特徴とする特開２００２−１３６９６０号、粉砕した生ごみを脱水後乾燥させることを特徴とする特開２００１−９６２６６号、特開平１０−２９６１０９号、粉砕した生ごみを脱水後インランでバクテリア処理することを特徴とする特開２０００−３５０９７９号、含水量に応じて生ごみの圧縮度を調節することを特徴とする特開平１１−３３７８９号、処理機の外面や内面にゴミが付着するのを防止することを特徴とする特開平１１−３３７８８号、特開平１１−３３７８７号、固液分離と汚泥引除去等を１台の装置で行うことを特徴とする特開平１０−１５６３２５号、油分などの固形分を除去することを特徴とする特開２００２−２８２８２４号等が提案されている。
【０００５】
【特許文献１】特開２００２−２８２８２４号公報
【特許文献２】特開２００２−１３６９６０号公報
【特許文献３】特開２００１−９６２６６号公報
【特許文献４】特開平１０−２９６１０９号公報
【特許文献５】特開２０００−３５０９７９号公報
【特許文献６】特開平１１−３３７８９号公報
【特許文献７】特開平１１−３３７８８号公報
【特許文献８】特開平１１−３３７８７号公報
【特許文献９】特開平１０−１５６３２５号公報
【特許文献１０】特許第２９５２３８４号公報
【発明の開示】
【発明が解決しようとする課題】
【０００６】
最近では、バイオ方式や温風乾燥方式と呼ばれる家庭生ごみ処理機が一部で実用化されている。これらの方式は、先ず、家庭で発生する生ごみの容積と重量を減らして、それからごみを回収する事により、自治体の輸送に掛かる費用を安くする為に考案されたものである。この方法において、生ごみを家庭で処理した後の残滓は、他の可燃ごみと一緒に従来からの焼却・埋め立てに回されており、処理方法としては進歩的なものとは言いがたく、総合的な生ごみ処理コストも相当に割高なものになっている。
【０００７】
一般家庭等で発生する生ごみの処理方法に関して、それらを一括まとめて再利用する事を目的に、家庭で効率的に取り出して、回収する方法は未だ知られていない。従って、調理場や家庭で発生する生ごみを、自治体で一括まとめて再利用する事を目的に、家庭に於いて、衛生的に且つ余り手間隙を掛けずに取りまとめて出す事ができれば、既知の生ごみ微生物処理法や生ごみからメタンを発酵させて発電燃料に利用する方法等と組み合わせる事により、有効な生ごみ処理が可能になると考えられる。本発明は、調理場や家庭で発生する生ごみを、余り手間隙を掛けず簡単に、しかも衛生的に取り出して、自治体等による家庭生ごみの一括回収を助ける事によって、家庭生ごみの再利用促進化を図る事を目的とした生ごみ回収装置を提供するものである。本発明者は、同様の考えから、以前に調理場生ごみの処理装置を発明し、特許を取得している（特許第２９５２３８４号）。本発明は、該調理場生ごみの処理装置を更に使い勝手が良く、生ごみの回収の効率を良くしようとするものである。
【課題を解決するための手段】
【０００８】
この発明の要旨は、調理場や家庭等で発生する生ごみ処理に於いて、生ごみを粉砕機で粉砕して、そのまま専用袋に流し込み、自然脱水又は必要に応じて人の力で衛生的に圧縮脱水した後に、嵩張りの少ない袋詰め状態のまま効率的に取り出せる生ごみ回収装置である。即ち、生ごみを嵩張りの少ない袋詰め状態のまま効率的に取り出す生ごみ回収装置であって、生ごみを水を流しながら回転刃で粉砕する粉砕装置（１０）、前記粉砕された生ごみと排水が一緒に流れ込む生ごみ袋（７０）、生ごみ袋（７０）の中に粉砕後の生ごみと排水を導く上部接続オス管（２１）及び上部接続メス管（２３）、生ごみ袋（７０）から水のみを脱水し脱水した水を排水溜（４２）に導く下部接続メス管（３１）及び下部接続オス管（３４）、排水を一時的に溜める排水溜（４２）を有する排水溜槽（４０）並びに排水溜槽（４０）を上下方向に動かす手動昇降装置（５０）を備えた生ごみの回収装置である。この際、生ごみ袋（７０）から水を脱水するために、圧縮脱水機構（６０）を備えることができる。
【０００９】
圧縮脱水機構（６０）には、ペダル（８０）がレバー（８１）を介して索（６３、６４、６５）に連結され、索が専用ごみ袋（７０）に被せた網（６８）に接続されており、ペダル（８０）を踏むことにより索を介して網（６８）を収縮させ、網（６８）の収縮により生ごみ袋（７０）内の粉砕生ごみを圧縮脱水する機構である。
【００１０】
また、生ごみ袋（７０）は、水を通すフィルター素材（７１）でできた内袋と、水と空気を通さない素材（７２）でできた外袋とが袋入口（７３）の周囲部分で接合された二重袋であって、内袋と外袋に共通の袋入口（７３）が設けられ、外袋には独自の袋出口（７４）が設けられ、袋入口（７３）に裾の広がったラッパ状の入口（７５）が設けられ、袋出口（７５）に裾の広がったラッパ状の出口（７６）を設けることができる。
【００１１】
上部接続メス管（２３）は上部接続メス管支持板（２４）に固定され、下部接続メス管（３１）は下部接続メス管支持板（３２）に固定され、上部接続メス管支持板（２４）は上部接続メス管支持台（２６）に、下部接続メス管支持板（３２）は下部接続メス管支持台（３６）に各々固定され、上部接続メス管支持台（２６）と下部接続メス管支持台（３６）とは、縦軸（２００）を中心に、左右方向又は上下方向へ連動して移動可能とすることができる。そして、下部接続メス管支持台（３６）は、手動昇降装置（５０）により排水溜槽（４０）を上方向に持ち上げることにより、上部接続メス管支持台（２６）と連動して上下移動可能とすることができる。
【発明の効果】
【００１２】
本発明は、調理場や家庭等で発生する生ごみを、水とともに回転刃で粉砕し、粉砕された生ごみを排水と一緒に生ごみ袋に流し込んで、自然脱水又は必要に応じて人力で圧縮脱水して、生ごみ袋の中に粉砕生ごみだけを残して、生ごみを袋に詰めたまま取り出せるようにした生ごみ回収装置を提供するものである。本発明の装置を使用することにより、不用意に廃棄される家庭生ごみが下水管を詰まらせる社会問題も無くなり、生ごみ処理のもたらす、ダイオキシンが発生し易くなる問題、最終処分場所の不足問題やごみ処理コストが何時までも安くならない問題等にも対応し易くなる。
【００１３】
また、生ごみ袋が簡単な操作で着脱できること、袋の形状が製作に便利であること、更には、袋の素材として自然にやさしい生分解性プラステイックも使える事から、本発明の装置を、調理場や家庭等から出る生ごみをバイオマス発酵施設などの再利用施設に回収する前工程の補助装置として使用する事により、化石燃料の代替燃料となる有機性廃棄物の回収という観点から、社会への貢献が期待できる。更に、該装置は、取り扱いや保守管理が簡単で、粉砕装置以外には電力等を必要とせず、運転コストや維持経費が安く且つ故障も少ない装置であり、生ごみ処理コストの低減化に大きく貢献できるものである。
【００１４】
更に、既存の台所用デイスポーザーは、生ごみを粉砕して、そのまま水と一緒に下水道等に流す方式が多く、水質汚濁防止や環境保護等の観点から好ましくない。本発明による生ごみ回収装置は、従来の台所用デイスポーザーで粉砕された生ごみを、調理場排水と一緒に専用の生ごみ袋に流し込んで、それらを袋の中のフィルターで濾過して、生ごみだけを袋に残し、生ごみの詰まった袋をそのまま回収し易くする事により、資源の再利用が容易に図れるようにすると共に、環境保護にも役立てようとするものである。
【発明を実施するための最良の形態】
【００１５】
本発明の生ごみの回収装置は、調理場や家庭等において、生ごみを水を流しながら回転刃で粉砕する粉砕装置１０、粉砕された生ごみと排水が一緒に流れ込む生ごみ袋７０、生ごみ袋７０の中に粉砕後の生ごみと排水を導く上部接続オス管２１及び同メス管２３、生ごみ袋７０に溜まった粉砕生ごみと排水を自然脱水させ、脱水した水を排水溜４２に導く下部接続メス管３１と同オス管３４、排水を一時的に溜める排水溜４２を有する排水溜槽４０と、それを上下方向に動かす手動昇降装置５０とからなる生ごみの回収装置である。この装置は、また、脱水のために、圧縮脱水機構６０を備えることができる。
【００１６】
粉砕装置１０としては、既存の装置が知られている。例えば、台所用デイスポーザーと言われているものである。これは、生ごみを水を流しながら回転刃で切断粉砕するものである。外国及び日本の一部住宅等で、使用されている例が見られる。
【００１７】
生ごみ回収装置で使用する生ごみ袋７０は、水を通すフィルター素材７１でできた内袋と、水と空気を通さない素材７２でできた外袋からなる二重袋を使用することができる。該生ごみ袋７０には、これら内袋と外袋に共通の袋入口７３がついており、外袋には独自の袋出口７４が付いているものを使用する事ができる。粉砕された生ごみは、フィルター素材７１の内袋に溜まり、内袋を通過した粉砕生ごみを含まない排水は、外袋の袋出口７４から下部接続メス管３１及び同オス管３４を経て、その下の排水溜４２へ流れる構造になっている。フィルター素材７１からなる内袋は、水を通さない素材７２からなる外袋と袋入口７３の周囲部分だけが接合されており、袋入口７３には裾の広がったラッパ状の入口７５を設け、また、袋出口７４にも同じような裾の広がったラッパ状の出口７６を設ける事ができる。これらは、袋のセットをしやすくする為のものである。
【００１８】
生ごみ袋７０は、図２に示す構造のものを使用する事ができる。この場合、水と空気を通さない素材７２とラッパ状の入口７５及び同出口７６の接合部分には、同じ素材の厚めのリング等を入れて、入口と出口のラッパを立たせてもよい。
【００１９】
接続オス管２１は、粉砕装置１０の装置出口１２から伸びた接続管１５の出口に位置して、上部接続オス管支持板２２に固定されており、床面１からの高さを装置天井５の高さに設定できる。下部接続メス管支持台３６は、最下点にある時に、基準点２の高さで支えられており、手動昇降装置５０で排水溜槽４０を上方向に持ち上げることにより、床面１からの高さは変動する。上部接続メス管支持台２６の動きと、下部接続メス管支持台３６の動きは縦方向と横方向とも連動しており、その時の基準になっている軸が、縦軸２００である。縦軸２００は、上部接続部２０や下部接続部３０の縦方向１本の共有中心線を決める場合にも、共通軸になっている。
【００２０】
上部接続メス管２３は上部接続メス管支持板２４に固定されており、下部接続メス管３１は下部接続メス管支持板３２に固定されている。そして、上部接続メス管支持板２４は同支持台２６に、下部接続メス管支持板３２は同支持台３６に、各々固定できるものが好ましい。この場合、最初から固定されていても良く、又は、上部接続メス管支持台２６と下部接続メス管支持台３６に予め設けた縦又は横方向からの切込み等を通して、その都度固定するものでも良い。上部接続メス管支持板２４と下部接続メス管支持板３２及び下部接続メス管支持台３６は、装置の左右どちらかの縦軸２００を中心に、図１の基準点２と基準点３間の高さを保ちながら、左右方向又は上下方向へ、連動して移動できる構造のものを使用する事ができる。これらを、左右方向に回して、最大限に回した時の奥の位置９１に於いては、左右に動かないように、金具等で固定できる構造になっている。その時、上部接続オス管２１、同メス管２３、下部接続メス管３１並びに同オス管３４の中心線は、それぞれが縦並びで一致する構造のものが好ましい。
【００２１】
下部接続メス管支持板３２は、上記に説明の通り、下部接続メス管支持台３６に固定されるが、この下部接続メス管支持台３６は、生ごみ袋７０を載せる場所であり、ここには、粉砕生ごみの詰まった生ごみ袋７０を圧縮して脱水する圧縮脱水機構６０が付いている。また、生ごみ袋７０に溜まった排水の流れをよくする為に、この下部接続メス管支持台３６の中心部は、周りよりも低い構造になっている。
【００２２】
圧縮脱水機構６０の構造を、図５、図６及び図７に示す。図５に於いて、索６４と索６５は、支点６１では固定されているが、支点６２では動くようになっており、それらの端は索６３と連結されている。これらの索は、通常の状態では、バネ６６及びバネ６７によって中心点６９から見て外側に引っ張られて、生ごみ袋７０の円周よりも少し大きな円周を描くように張られている。この場合、索が円に近い形を描くように、これらのバネは、各々複数本を使用する事ができる。そして、索６４と索６５の間には、少し弛みを持たせた網６８を張り、圧縮脱水時に、粉砕生ごみの詰まった生ごみ袋７０を外側から包み込むようになっている。生ごみ袋７０の中に粉砕生ごみが溜まってきたら、ペダル８０を踏むと、その力がレバー８１に伝わり、索６３を経由して、索６４と索６５に伝わり、網６８を使って、支点６１と支点６２を結んだ直線上の点に圧縮力を生じさせる事ができる。この操作により、生ごみ袋７０に詰まった粉砕生ごみは、圧縮脱水されることになる。
【００２３】
図６及び図７は、この機構を無蓋円筒容器に設置した一例を示すものである。無蓋円筒容器は、上部接続メス管支持台２６と下部接続メス管支持台３６の間に設置可能な高さを持つ容器を使用できる。この場合、無蓋円筒容器の底に、下部接続メス管３１と下部接続支持板３２を直接固定して、これらを容器ごと下部接続メス管支持台３６の上に設置するようにしてもよい。又、作業性を良くする為に、上部接続メス管２３と同メス管支持板２４の固定された上部接続メス管支持台２６を、手前の位置９２に於いて、上方向に折り畳める構造にしてもよい。図６（ａ）及び図７（ａ）は、無蓋円筒容器を上から見た図であり、図７（ｂ）及び図７（ｂ）は、無蓋円筒容器の底を裏面から見た図である。この場合、無蓋円筒容器を上から見た図には網６８が記載されていないが、網６８は上の索６４と下の索６５の間に縦方向に張られている。  図６は、索６３に張力の掛かっていない通常の状態を示す。この場合、底裏面のバネ６６（又は６７）には張力が掛かっていないので、バネは伸びていない通常の状態を示す。図７は、索６３に張力の掛かっている状態を示す。従って、底裏面のバネ６６（又は６７）にも張力が掛かっている為、バネは伸びた状態を示す。索とバネとの接合点になるバネの端には、結び輪９３又はすり抜け輪９４が付けてある。結び輪９３は、索６４又は６５の引かれる長さに応じてバネ６６（又は６７）も伸びる役割を果たし、すり抜け輪９４は、索６４及び６５が引かれた場合、それらの一部の長さが輪の中をすり抜ける役割を果たすものである。従って、支点６２に近い接合点では、すり抜け輪９４を使用する方が望ましい。図６と図７には、バネ６６及びバネ６７と記載してあるが、機能的にはバネ６６、又は、ばね６７のいずれか一方でも構わない。
【００２４】
下部接続オス管３４は、排水溜槽入口４１に設置されており、下部接続オス管支持板３５に固定されている。同支持板３５は、排水溜槽４０に固定されたものを使用する事ができる。排水溜槽４０は、下部接続オス管３４を通過した排水が流れ込む排水溜４２と、それを外部に出す排水溜槽出口４３を有しており、縦軸２００を中心に、上下方向に動く構造のものを使用する事ができる。
【００２５】
手動昇降装置５０は、床面１に固定されており、排水溜槽４０を上下方向に昇降させる構造のものを使用する事ができる。上部接続メス管支持台２６及び下部接続メス管支持台３６を奥の位置９１に固定して、手動昇降装置５０を使って、排水溜槽４０を上方向に持ち上げると、先ず、下部接続オス管３４と同メス管３１が接続される。更に持ち上げると、次に、上部接続メス管２３と同オス管２１が接続される構造になっている。
【００２６】
生ごみ袋７０に溜まった粉砕生ごみを、必要に応じて、圧縮脱水する時は、ベダル８０を下に踏み降ろして行う事ができる。この圧縮脱水作業が行われる時は、生ごみ袋７０の袋入口７３に付いたラッパ状の入口７５が上部接続メス管２３にセットされており、袋出口７４に付いたラッパ状の出口７６も下部接続メス管３１にセットされている時である。更に、この時は、上部接続オス管２１と同メス管２３、並びに下部接続メス管３１と同オス管３４も、各々接続された状態にある。従って、この場合、粉砕生ごみを圧縮して出て来る排水は、自然の力で排水溜４２に流れる構造になっている。
【００２７】
本発明の実施態様を説明する。図１は、本発明の生ごみ回収装置を示すものである。本装置は、生ごみを水とともに回転刃で粉砕する粉砕装置１０、粉砕された生ごみが排水と一緒に流れ込んで自然脱水又は圧縮脱水される生ごみ袋７０、そして、必要に応じて粉砕生ごみを生ごみ袋７０の中で圧縮脱水する時に使うベダル８０と圧縮脱水機構６０及び排水を一時的に溜める排水溜４２、並びに、これら粉砕生ごみと排水の流れを接続する複数の管を有する生ごみ回収装置である。
【００２８】
粉砕装置１０は、一般にデイスポーザーと言われているもので、水と生ごみの入口１１、同出口１２、回転刃１４及びそれを回転させるモーター１３からなっており、出口１２から接続管１５で上部接続オス管２１に連結されている。この接続管１５にはＵ字管を好適に使用することができる。
【００２９】
図２に示す生ごみ袋７０は、内袋に水を通すフィルター素材７１を使い、外袋に水と空気を通さない素材７２を使った二重袋になったものを使う事ができる。具体的には、袋入口７３から流れ込んだ粉砕生ごみと排水は、粉砕生ごみだけが内袋の中に溜まり、排水はフィルター素材７１を通過して袋出口７４から外に排出できる構造のものが好ましい。フィルター素材７１は、排水の効率を高める為とフィルター網目の目詰まりを防ぐ為に、異なる網目のフィルターを何枚か重ねて使用してもよい。また、その場合、フィルター素材７１の一番外側の内袋が、水と空気を通さない素材７２の外袋と密着せず、水の流れをよくする為に、内袋と外袋との間に隙間の生じる工夫をしてもよい。袋入口７３と袋出口７４には、生ごみ袋７０をセットし易いように、各々ラッパ状の入口７５と同出口７６を設ける事ができる。生ごみ袋７０をセットする時は、先ず、上部接続メス管支持台２６と下部接続メス管支持台３６を水平方向に回転させて、手前の位置９２で固定して、生ごみ袋７０のラッパ状の入口７５を上に、同ラッパ状の出口７６を下にして、図４に示すように、ラッパ状の入口７５は上部接続メス管２３を通し、ラッパ状の出口７６は下部接続メス管３１を通して、そのまま引き出して、各接続メス管の表面を覆う形で折り返して、折り返し部分を環状磁石２５及び同磁石３３で各々押さえるようにするとよい。この状態が、生ごみ袋７０をセットした状態になる。
【００３０】
生ごみ袋７０のセットが終わったら、上部接続メス管支持台２６と下部接続メス管支持台３６を回転させて、奥の位置９１で固定する。
【００３１】
次に、手動昇降装置５０を使って、先ず、排水溜槽４０を上方向に持ち上げる。すると、下部接続オス管３４と同メス管３１が接合される。そして、更に上方向に持ち上げると、下部接続メス管支持台３６と上部接続メス管支持台２６が一緒に揃って持ち上がり、ついに、上部接続メス管２３と同オス管２１が接合される。この上部接続オス管２１と上部接続メス管が接合されるときの状態を図３に示す。（但し、見やすくするために、生ごみ袋７０のラッパ状の入り口７５は省略してある）。これで、準備完了である。即ち、この時、上部接続メス管支持台は、初めの基準点３から基準点４まで移動している。つまり、上部接続メス管支持台２６が基準点４に達した時に、上部接続メス管２３が同オス管２１に接合されて、該生ごみ回収装置の使用準備が整った事になる。
【００３２】
この状態にしてから、粉砕装置１０を使用して、上の方から粉砕生ごみと排水を流すと、粉砕生ごみが生ごみ袋７０のフィルター素材７１の内袋に溜まり、排水は流れて、排水溜４２を経由して、排水溜槽出口４３から外の配水管に流れる。生ごみ袋７０は、状況に合わせて、必要な粉砕生ごみ量を収容可能な容積に設定する事ができる。
【００３３】
生ごみ袋７０の中の粉砕生ごみを、状況に応じて、圧縮脱水する時は、ペダル８０を下方向に踏み込んで圧縮脱水する事ができる。この場合、ペダル８０が、レバー８１を下方向に引き、その力が圧縮脱水機構６０の索６３に伝わり、圧縮脱水機構６０が働く事になる。
【００３４】
生ごみ袋７０が粉砕生ごみで満杯になったら、次のような手順で取り出す。先ず、手動昇降装置５０のハンドルを下に降ろす。すると、上部接続オス管２１と同メス管２３が外れて、下部接続メス管３１と同オス管３４も外れる。次に、上部接続メス管支持台２６と下部接続メス管支持台３６を一緒に固定していた奥の位置９１の固定金具を外して、手前の位置９２まで回して、そこで固定する。環状磁石２５と同磁石３３は簡単に外せるので、ラッパ状の入口７５と同出口７６を紐などで縛ってから、それらを生ごみ袋７０の位置する方向に引き抜くとよい。そうすると、生ごみ袋７０を、密封された状態で下部接続メス管支持台３６から降ろすことができて、自治体等の生ごみ回収に回すことができる。代わりに、新しい生ごみ袋７０をセットする。
【産業上の利用可能性】
【００３５】
本発明は、調理場や家庭等で発生する生ごみを、水とともに回転刃で粉砕する粉砕装置、粉砕された生ごみを排水と一緒に生ごみ袋に流し込んで、自然脱水又は必要に応じて圧縮脱水して、生ごみ袋の中に粉砕生ごみだけを残して、袋に詰めたまま取り出せるようにした生ごみ回収装置を提供するものである。本発明の装置において、袋の形状が製作に便利であること、更には、袋の素材として自然にやさしい生分解性プラステイックも使える事から、本発明の装置を調理場や家庭等から出る生ごみをバイオガス発酵施設などの再利用施設に回収する前工程の補助装置として使用する事により、化石燃料の代替燃料となる有機性廃棄物の回収という観点から、社会への貢献が期待できる。また、本発明の装置は、取り扱いや保守管理が簡単で、粉砕装置以外には電力等を必要とせず、運転コストや維持経費が安く且つ故障も少ない装置であり、生ごみ処理コストの低減化に大きく貢献できるものである。
【図面の簡単な説明】
【００３６】
【図１】生ごみ回収装置全体の一例を示す図である。
【図２】生ごみ袋の特徴を示す図である。
【図３】接続オス管とメス管の接続状況を示す図である。
【図４】生ごみ袋のラッパ状の口の止め方を示す図である。
【図５】圧縮脱水機構を示す図である。
【図６】無蓋円筒容器の例を示す図である。
【図７】無蓋円筒容器の例を示す図である。
【符号の説明】
【００３７】
１    床面
２    基準点
３    基準点
４    基準点
５    装置天井
１０    粉砕装置
２０    上部接続部
３０    下部接続部
４０    排水溜槽  
５０    手動昇降装置
６０    圧縮脱水機構
7０    生ごみ袋    
８０    ベダル
１１    粉砕装置入口
１２    粉砕装置出口
１３    粉砕装置モーター
１４    粉砕装置粉砕刃
１５    接続管
２１    上部接続オス管
２２    上部接続オス管支持板
２３    上部接続メス管
２４    上部接続メス管支持板
２５    環状磁石
２６    上部接続メス管支持台
３１    下部接続メス管
３２    下部接続メス管支持板
３３    環状磁石
３４    下部接続オス管
３５    下部接続オス管支持板
３６    下部接続メス管支持台
４１    排水溜槽入口
４２    排水溜
４３    排水溜槽出口
６１    支点
６２    支点
６３    索
６４    索
６５    索
６６    バネ
６７    バネ
６８    網
６９    中心点
７１    フィルター素材
７２    水と空気を通さない素材
７３    袋入口
７４    袋出口
７５    ラッパ状の入口
７６    ラッパ状の出口
８１    レバー
９１    奥の位置
９２    手前の位置
９３    結び輪
９４    すり抜け輪
１００    縦軸
２００    縦軸
【図１】
2005060003.tif 000003
【図２】
2005060003.tif 000004
【図３】
2005060003.tif 000005
【図４】
2005060003.tif 000006
【図５】
2005060003.tif 000007
【図６】
2005060003.tif 000008
【図７】
2005060003.tif 000009